(57)【要約】【課題】消費電力が少なくても高効率で手を乾燥することができる手乾燥装置を提供することを目的とする。【解決手段】送風装置１より発生する風を開口部より手に向けて噴射して手に付着する水分を除去する複数個のノズル３ａ−３ｃと、そのノズル３ａ−３ｃの近傍へ手を誘導する手誘導手段６ａ−６ｃとを備え、手の誘導に合わせて複数個のノズル３ａからノズル３ｃにかけて、順番に風を噴射することで消費電力が少なくても高効率で濡れた手を乾燥することができる。【選択図】図２
2008092996.tif 000002
【特許請求の範囲】
【請求項１】
外部より手を抜き差しできる箱体であって、風を発生させる送風装置と、前記送風装置より発生する風を開口部より手に向けて噴射して手に付着する水分を除去する複数個のノズルと、手の抜き差しを検出する手検出手段と、前記ノズル近傍へ手を誘導する手誘導手段と、前記ノズルの風の噴射を制御する制御手段とを備え、前記手検出手段の検出結果により前記手誘導手段が前記ノズル近傍へ手を誘導し、前記制御手段が手の誘導に合わせて複数個の前記ノズルから順番に風を噴射することを特徴とする手乾燥装置。
【請求項２】
ノズルが箱体の内側に縦方向に設置されていることを特徴とする請求項１に記載の手乾燥装置。
【請求項３】
上方に設置されたノズルより順番に風を噴射することを特徴とする請求項１または２に記載の手乾燥装置。
【請求項４】
複数個のノズルから噴射される風の向きがそれぞれ異なることを特徴とする請求項１〜３のいずれかに記載の手乾燥装置。
【請求項５】
ノズルから噴射される風速が可変であることを特徴とする請求項１〜４のいずれかに記載の手乾燥装置。
【請求項６】
ノズルからの風の噴射を開口部の開閉で行うことを特徴とする請求項１〜５のいずれかに記載の手乾燥装置。
【請求項７】
開口部が電磁弁で構成されることを特徴とする請求項６に記載の手乾燥装置。
【請求項８】
開口部の開口面積により風速が可変であることを特徴とする請求項６または７に記載の手乾燥装置。
【請求項９】
手誘導手段により、箱体より手を抜く時期を報知することを特徴とする請求項１に記載の手乾燥装置。
【請求項１０】
手誘導手段としてＬＥＤを用いることを特徴とする請求項１または９に記載の手乾燥装置。
【請求項１１】
手誘導手段としてブザーを用いることを特徴とする請求項１または９に記載の手乾燥装置。
【発明の詳細な説明】
【技術分野】
【０００１】
本発明は、消費電力を抑制した高効率な手乾燥装置に関する。
【背景技術】
【０００２】
今日、衛生面への意識が高まっているため、洗面所やトイレで手を洗ったあとに手を乾燥させる手乾燥装置が普及しており、その乾燥効率も年々向上している。手乾燥装置における乾燥効率の向上方法として、手に向けて風を噴射するノズルを回転させることで、手に均一に風をあて、乾燥効率を向上させるものがある（例えば、特許文献１参照）。
【特許文献１】特開２００６−２４７０２１号公報
【発明の開示】
【発明が解決しようとする課題】
【０００３】
このような従来の手乾燥装置では、乾燥効率は向上するが、ノズルを回転させるために風を発生させるモータとは別にモータを設置する必要があるため製品の構造が複雑となり、また消費電力が高いという課題があった。
【０００４】
本発明は、上記課題を解決するもので、消費電力が少なくても高効率で手を乾燥することができる手乾燥装置を提供することを目的とする。
【課題を解決するための手段】
【０００５】
上記課題を解決するために本発明の手乾燥装置は、外部より手を抜き差しできる箱体であって、風を発生させる送風装置と、前記送風装置より発生する風を開口部より手に向けて噴射して手に付着する水分を除去する複数個のノズルと、手の抜き差しを検出する手検出手段と、前記ノズル近傍へ手を誘導する手誘導手段と、前記ノズルの風の噴射を制御する制御手段とを備え、前記手検出手段の検出結果により前記手誘導手段が前記ノズル近傍へ手を誘導し、前記制御手段が手の誘導に合わせて複数個の前記ノズルから順番に風を噴射することを特徴とする。
【０００６】
本発明の手乾燥装置の他の手段は、ノズルが箱体の内側に縦方向に設置されていることを特徴とする。
【０００７】
本発明の手乾燥装置の他の手段は、上方に設置されたノズルより順番に風を噴射することを特徴とする。
【０００８】
本発明の手乾燥装置の他の手段は、複数個のノズルから噴射される風の向きがそれぞれ異なることを特徴とする。
【０００９】
本発明の手乾燥装置の他の手段は、ノズルから噴射される風速が可変であることを特徴とする。
【００１０】
本発明の手乾燥装置の他の手段は、ノズルからの風の噴射を開口部の開閉で行うことを特徴とする。
【００１１】
本発明の手乾燥装置の他の手段は、開口部が電磁弁で構成されることを特徴とする。
【００１２】
本発明の手乾燥装置の他の手段は、開口部の開口面積により風速が可変であることを特徴とする。
【００１３】
本発明の手乾燥装置の他の手段は、手誘導手段により、箱体より手を抜く時期を報知することを特徴とする。
【００１４】
本発明の手乾燥装置の他の手段は、手誘導手段としてＬＥＤを用いることを特徴とする。
【００１５】
本発明の手乾燥装置の他の手段は、手誘導手段としてブザーを用いることを特徴とする。
【発明の効果】
【００１６】
以上のように本発明の手乾燥装置によれば、消費電力が少なくても高効率で手を乾燥することができる手乾燥装置を提供することができる。
【発明を実施するための最良の形態】
【００１７】
請求項１記載の手乾燥装置の発明は、外部より手を抜き差しできる箱体であって、風を発生させる送風装置と、前記送風装置より発生する風を開口部より手に向けて噴射して手に付着する水分を除去する複数個のノズルと、手の抜き差しを検出する手検出手段と、前記ノズル近傍へ手を誘導する手誘導手段と、前記ノズルの風の噴射を制御する制御手段とを備え、前記手検出手段の検出結果により前記手誘導手段が前記ノズル近傍へ手を誘導し、前記制御手段が手の誘導に合わせて複数個の前記ノズルから順番に風を噴射することを特徴とするものであり、手の誘導に合わせて適所に風を噴射することで無駄な風の噴射がないため、消費電力を削減できる。
【００１８】
請求項２記載の手乾燥装置の発明は、請求項１に記載の手乾燥装置において、ノズルが箱体の内側に縦方向に設置されていることを特徴とするものであり、風の噴射により除去された水が重力により落下しても手に再付着し難く、水除去のための時間が短くなるため、消費電力を削減できる。
【００１９】
請求項３記載の手乾燥装置の発明は、請求項１または２に記載の手乾燥装置において、上方に設置されたノズルより順番に風を噴射することを特徴とするものであり、風の噴射と重力の相乗効果により下方向への水の除去が容易になり、水除去のための時間が短くなるため、消費電力を削減できる。
【００２０】
請求項４記載の手乾燥装置の発明は、請求項１〜３のいずれかに記載の手乾燥装置において、複数個のノズルから噴射される風の向きがそれぞれ異なることを特徴とするものであり、手に風が均一に噴射され、水除去のための時間が短くなるため、消費電力を削減できる。
【００２１】
請求項５記載の手乾燥装置の発明は、請求項１〜４のいずれかに記載の手乾燥装置において、ノズルから噴射される風速が可変であることを特徴とするものであり、適切な風速で水を除去することで無駄な風速を削減し、消費電力を削減できる。
【００２２】
請求項６記載の手乾燥装置の発明は、請求項１〜５のいずれかに記載の手乾燥装置において、ノズルからの風の噴射を開口部の開閉で行うことを特徴とするものであり、ひとつの送風装置で複数個のノズルより順番に風を噴射することができ、製品の構造が簡易になる。
【００２３】
請求項７記載の手乾燥装置の発明は、請求項６に記載の手乾燥装置において、開口部が電磁弁で構成されることを特徴とするものであり、開口部の開閉を制御手段からの電圧信号で容易に制御することができ、製品の構造が簡易になる。
【００２４】
請求項８記載の手乾燥装置の発明は、請求項６または７に記載の手乾燥装置において、開口部の開口面積により風速が可変であることを特徴とするものであり、送風装置の回転数が一定でも、開口面積を変更することで容易に風速を変更でき、製品の構造が簡易になる。
【００２５】
請求項９記載の手乾燥装置の発明は、請求項１に記載の手乾燥装置において、手誘導手段により、箱体より手を抜く時期を報知することを特徴とするものであり、使用者が適切に水除去が完了したことを知ることができる。
【００２６】
請求項１０記載の手乾燥装置の発明は、請求項１または９に記載の手乾燥装置において、手誘導手段としてＬＥＤを用いることを特徴とするものであり、視覚的に容易に手の抜き差しを誘導されることができる。
【００２７】
請求項１１記載の手乾燥装置の発明は、請求項１または９に記載の手乾燥装置において、手誘導手段としてブザーを用いることを特徴とするものであり、聴覚的に容易に手の抜き差しを誘導されることができる。
【００２８】
以下、本発明の実施形態について図を参照しながら説明する。
【００２９】
（実施の形態１）
図１〜３に示すように、本発明の手乾燥装置は、洗面所やトイレ等の手を洗う場所の近辺に風を発生させる送風装置１と、送風装置１より発生した風を通風路２を介して開口部より手に向けて空気を噴射するそれぞれ向きが異なる複数個のノズル３ａ‐３ｃとを備えた本体４を配置し、本体４の前面には手検出手段５が備えられている。またノズル３ａ‐３ｃの近傍には、それぞれ手誘導手段６ａ‐６ｃが備えられており、送風装置１、ノズル３ａ‐３ｃ、手検出手段５および手誘導手段６ａ‐６ｃはマイクロコンピュータ７（以下、マイコン）を搭載した制御手段８に接続されている。手誘導手段６ａ‐６ｃとしては、空気を噴射しているノズルが分かればよく、例えば、ノズル３ａ、３ｂ、３ｃのそれぞれの近傍に設けられ、空気噴射時には点灯するＬＥＤなどがある。ノズル３ａ、３ｂ、３ｃのそれぞれに対応しているのが分かる程度の近傍に設けられた手誘導手段６ａ、６ｂ、６ｃであるそれぞれのＬＥＤが点灯すれば、その点灯したＬＥＤに対応して、どのノズルから空気が噴射されているのかが分かり、そのノズルに手を誘導できることとなる。例えば、手誘導手段６ａ（ＬＥＤ）が点灯すれば、それに対応するノズル３ａから空気が噴射されているのが、視覚的に分かることとなる。手検出手段５としては、赤外線センサなどがある。
【００３０】
上記構成において、図４のフローチャートを用いて使用者が手乾燥装置により手を乾燥する動作を説明する。ＳＴＥＰ１は、本体４に手が入れられる前であり、送風装置１は停止している。ＳＴＥＰ２〜ＳＴＥＰ４では、使用者が水で濡れた手を本体４内へ入れると、手検出手段５が本体４内への手の挿入開始を検出し、マイコン７がＬＥＤからなる手誘導手段６ａを点灯させ、ノズル３ａの近傍まで手の挿入を誘導する。また同時にマイコン７により送風装置１が駆動され、誘導されてきた手に向けてノズル３ａより風を噴射して、手に付着した水を指の先端方向に除去する。
【００３１】
ここで、本体４は外部より使用者がＬＥＤからなる手誘導手段６ａを容易に見ることができるよう、アクリルなどの透明な材質で構成すると良い。また手検出手段５としては赤外センサなどが考えられ、人体から発する熱線を感知して手の挿入を検出することができる。送風装置１としては、マイコン７で制御されるモータと羽による送風が考えられ、またノズル３ａ‐３ｃとしては、電磁弁のようなマイコン７により制御される電圧によって開閉可能なものが考えられ、ひとつの送風装置１で複数のノズル３ａ‐３ｃから１箇所ずつ風を噴射する際に、噴射に使用するノズル３以外には電圧を印加せず閉じておくことで、ノズル３ａ‐３ｃの１箇所から高風速で風を噴射することができるため、濡れた手に付いている水の除去効率が向上する。
【００３２】
ＳＴＥＰ５〜ＳＴＥＰ８では、ノズル３ａより一定時間Ｔａ風が噴射されると、ノズル３ａからの噴射を停止し、ＳＴＥＰ３およびＳＴＥＰ４と同様に、使用者が次のノズル３ｂの近傍まで手を挿入するようＬＥＤからなる手誘導手段６ｂを点灯させ誘導し、ノズル３ｂより手に向けて風を噴射する。ここで一定時間Ｔａとしては、手に付着した水がある程度指の先端方向に除去される約１秒が良い。またノズル３ａからノズル３ｂへ切り替える利点としては、一方向からの風の噴射では水を完全に除去し難いため、ノズル３ａ‐３ｃを切り替え別方向から風を噴射することで、均一に水を除去することができる。
【００３３】
ＳＴＥＰ９〜ＳＴＥＰ１２では、ＳＴＥＰ５〜ＴＥＰ８と同様に、ノズル３ｂより一定時間Ｔｂ風が噴射されると、ノズル３ｂからの噴射を停止し、使用者が次のノズル３ｃの近傍まで手を挿入するようＬＥＤからなる手誘導手段６ｃを点灯させ誘導し、ノズル３ｃより手に向けて風を噴射する。ここで一定時間Ｔｂとしては、手に付着した水がある程度指の先端方向に除去される約１秒が良い。またノズル３ｃは、ノズル３ａおよびノズル３ｂで指の先端方向に収集された水を高風速で飛ばすためにあり、指先に集中して風を噴射する構成とると良い。指先に集中させる方法としては、ノズル３ｃの開口部の面積を３ａおよび３ｃより小さくすることで、送風装置１の回転数が一定でも風を高風圧で噴射することができる。
【００３４】
ＳＴＥＰ１３〜ＳＴＥＰ１６では、ノズル３ｃより一定時間Ｔｃ風が噴射されると、ＬＥＤからなる手誘導手段６ｃが点滅することで、使用者に本体４からの手の抜き出しを誘導し、使用者の手が本体４より抜き出されて手検出手段５の手の検出がなくなると、送風装置１を停止してノズル３ｃからの風の噴射を終了する。ここで、使用者への手の抜き出しの誘導する他の方法として、点灯するＬＥＤの色を挿入誘導時は青色、抜き出し誘導時には赤色にする等、色により誘導する方法がある。また別の抜き出し誘導方法として、ブザーによる音声ガイドにより「乾燥が終了しました」等のアナウンスをする方法も考えられる。
【産業上の利用可能性】
【００３５】
本発明にかかる手乾燥装置は、消費電力が少なくても高効率で手を乾燥することができるものであり、洗面所やトイレ等で手を洗い、濡れた手を乾燥させる手乾燥装置として有用である。
【図面の簡単な説明】
【００３６】
【図１】本発明の実施の形態１の手乾燥装置の構成を示す斜視図
【図２】同手乾燥装置の断面図
【図３】同手乾燥装置の制御系を示すブロック図
【図４】同手乾燥装置の動作を示すフローチャート
【符号の説明】
【００３７】
１  送風装置
３ａ‐３ｃ  ノズル
５  手検出手段
６ａ‐６ｃ  手誘導手段
８  制御手段
【図１】
2008092996.tif 000003
【図２】
2008092996.tif 000004
【図３】
2008092996.tif 000005
【図４】
2008092996.tif 000006